【手続補正書】
【提出日】令和2年6月8日(2020.6.8)
【手続補正１】
【補正対象書類名】明細書
【補正対象項目名】０００８
【補正方法】変更
【補正の内容】
【０００８】
この発明に係る情報処理装置は、外部環境に基づくセンサー情報を取得する、情報処理装置自身に内蔵されているセンサーと、前記センサーが取得するセンサー情報と同種のセンサー情報を前記情報処理装置外部の機器から受信する受信手段と、前記センサー情報が、前記センサーで取得されるものか、または、前記装置外部の機器で取得されるものか、及び、前記装置外部からの機器が取得するセンサー情報の取得時間間隔を記憶する記憶手段と、前記センサー情報を必要とするアプリケーションソフトウェアの起動指示を検出すると、前記記憶手段の記憶内容に基づき、前記装置外部の機器から前記センサー情報を受信するか否かを判定し、前記装置外部の機器から前記センサー情報を受信すると判定すると、前記アプリケーションソフトウェアが必要とする前記センサー情報の更新時間間隔と、前記記憶手段に記憶されている前記装置外部の機器の前記センサー情報の取得時間間隔とを比較して、前記取得時間間隔の方が短い場合に、前記装置外部の機器から前記センサー情報を受信するよう前記受信手段を制御して、前記アプリケーションソフトウェアを実行するよう制御する制御手段と、を備えたことを特徴とする。
【手続補正２】
【補正対象書類名】明細書
【補正対象項目名】０００９
【補正方法】変更
【補正の内容】
【０００９】
この発明に係る情報処理方法は、装置自身に内蔵されているセンサーから外部環境に基づくセンサー情報を取得する取得ステップと、前記センサーが取得するセンサー情報と同種のセンサー情報を前記装置外部の機器から受信する受信ステップと、前記センサー情報を必要とするアプリケーションソフトウェアの起動指示を検出すると、前記センサー情報が、前記センサーで取得されるものか、または、前記装置外部の機器で取得されるものか、及び、前記装置外部からの機器が取得するセンサー情報の取得時間間隔を記憶する記憶手段の記憶内容に基づき、前記装置外部の機器から前記センサー情報を受信するか否かを判定し、前記装置外部の機器から前記センサー情報を受信すると判定すると、前記アプリケーションソフトウェアが必要とする前記センサー情報の更新時間間隔と、前記記憶手段に記憶されている前記装置外部の機器の前記センサー情報の取得時間間隔とを比較して、前記取得時間間隔の方が短い場合に、前記装置外部の機器から前記センサー情報を受信するよう制御して、前記アプリケーションソフトウェアを実行するよう制御する制御ステップと、を含むことを特徴とする。
【手続補正３】
【補正対象書類名】明細書
【補正対象項目名】００１０
【補正方法】変更
【補正の内容】
【００１０】
この発明に係るプログラムは、外部環境に基づくセンサー情報を取得するセンサーと受信部とを備えたコンピュータを、前記センサーが取得するセンサー情報と同種のセンサー情報を前記コンピュータを備える装置外部の機器から受信する受信機能、前記センサー情報を必要とするアプリケーションソフトウェアの起動指示を検出すると、前記センサー情報が、前記センサーで取得されるものか、または、前記装置外部の機器で取得されるものか、及び、前記装置外部からの機器が取得するセンサー情報の取得時間間隔を記憶する記憶手段の記憶内容に基づき、前記装置外部の機器から前記センサー情報を受信するか否かを判定し、前記装置外部の機器から前記センサー情報を受信すると判定すると、前記アプリケーションソフトウェアが必要とする前記センサー情報の更新時間間隔と、前記記憶手段に記憶されている前記装置外部の機器の前記センサー情報の取得時間間隔とを比較して、前記取得時間間隔の方が短い場合に、前記装置外部の機器から前記センサー情報を受信するよう前記受信機能を制御して、前記アプリケーションソフトウェアを実行するよう制御する制御機能、として実現させることを特徴とする。
【手続補正４】
【補正対象書類名】明細書
【補正対象項目名】００１１
【補正方法】変更
【補正の内容】
【００１１】
この発明に係る情報処理装置は、外部環境に基づくセンサー情報を取得する、情報処理装置自身に内蔵されているセンサーと、前記情報処理装置外部と通信する通信手段と、前記センサーから前記センサー情報を取得するか、前記情報処理装置外部から送信される前記センサー情報と同種のセンサー情報を取得するか、を判断するために必要な情報を受信するよう前記通信手段を制御する通信制御手段と、アプリケーションソフトウェアの起動指示を検出した際、前記通信制御手段によって受信された情報に基づき、前記情報処理装置外部から送信されるセンサー情報を取得すると判定すると、前記アプリケーションソフトウェアが必要とする前記センサー情報の更新時間間隔と、前記情報処理装置外部から提供されるセンサー情報の取得時間間隔とを比較して、前記取得時間間隔の方が短い場合に、前記情報処理装置外部から提供されるセンサー情報を受信するよう前記通信手段を制御して、前記アプリケーションソフトウェアを実行するよう制御する制御手段と、を備えたことを特徴とする。
【手続補正５】
【補正対象書類名】明細書
【補正対象項目名】００１２
【補正方法】変更
【補正の内容】
【００１２】
この発明にかかる情報処理システムは、情報処理装置と、モバイル機器と、サーバーとからなる情報処理システムであって、前記情報処理装置は、通信手段と、前記情報処理装置自身に内蔵されている第１センサーと、前記第１センサーから外部環境に基づく第１センサー情報を取得する第１センサー情報取得手段と、を備え、前記モバイル機器は、前記モバイル機器自身に内蔵されている第２センサーと、前記第１のセンサー情報と同種であり、前記第２センサーから前記外部環境に基づく第２センサー情報を取得する第２センサー情報取得手段と、前記第２センサー情報取得手段によって取得された第２センサー情報を前記情報処理装置へ送信する送信手段と、を備え、前記サーバーは、前記第１センサー及び前記第２センサーに関するセンサー関連情報、及び、前記第２センサー情報の取得時間間隔を記憶する記憶手段と、前記情報処理装置又は前記モバイル機器からの要求に応じ、前記第１センサー情報を取得するか、前記第２センサー情報を取得するか、を判定するために必要な情報を、前記記憶手段の記憶内容に基づいて取得し、前記情報処理装置に送信する送信手段と、を備え、前記情報処理装置は更に、前記サーバーから送信された前記情報を受信するよう前記通信手段を制御する通信制御手段と、アプリケーションソフトウェアの起動指示を検出した際に、前記通信制御手段によって受信された前記情報に基づき前記第２センサー情報を取得すると判定すると、前記アプリケーションソフトウェアが必要とする前記第２センサー情報の更新時間間隔と、前記取得される第２のセンサー情報の取得時間間隔とを比較して、前記取得時間間隔の方が短い場合に、前記第２のセンサー情報を受信するよう前記通信手段を制御して、前記アプリケーションソフトウェアを実行することを特徴とする。
【手続補正６】
【補正対象書類名】特許請求の範囲
【補正対象項目名】全文
【補正方法】変更
【補正の内容】
【特許請求の範囲】
【請求項１】
外部環境に基づくセンサー情報を取得する、情報処理装置自身に内蔵されているセンサーと、
前記センサーが取得するセンサー情報と同種のセンサー情報を前記情報処理装置外部の機器から受信する受信手段と、
前記センサー情報が、前記センサーで取得されるものか、または、前記装置外部の機器で取得されるものか、及び、前記装置外部からの機器が取得するセンサー情報の取得時間間隔を記憶する記憶手段と、
前記センサー情報を必要とするアプリケーションソフトウェアの起動指示を検出すると、前記記憶手段の記憶内容に基づき、前記装置外部の機器から前記センサー情報を受信するか否かを判定し、前記装置外部の機器から前記センサー情報を受信すると判定すると、前記アプリケーションソフトウェアが必要とする前記センサー情報の更新時間間隔と、前記記憶手段に記憶されている前記装置外部の機器の前記センサー情報の取得時間間隔とを比較して、前記取得時間間隔の方が短い場合に、前記装置外部の機器から前記センサー情報を受信するよう前記受信手段を制御して、前記アプリケーションソフトウェアを実行するよう制御する制御手段と、
を備えたことを特徴とする情報処理装置。
【請求項２】
前記センサーが取得するセンサー情報の計測精度と前記受信手段が受信するセンサー情報の計測精度とを比較する第１の比較手段を更に備え、
前記制御手段は、前記第１の比較手段による比較結果に基づいて、前記装置外部の機器から前記センサー情報を受信するか否かを判定することを特徴とする請求項１に記載の情報処理装置。
【請求項３】
前記センサーの使用状態と前記装置外部の機器の使用状態とを比較する第２の比較手段を更に備え、
前記制御手段は、前記第２の比較手段による比較結果に基づいて、前記装置外部の機器から前記センサー情報を受信するか否かを判定することを特徴とする請求項１又は２に記載の情報処理装置。
【請求項４】
前記使用状態とは、電池残量を含むことを特徴とする請求項３に記載の情報処理装置。
【請求項５】
前記電池残量は、送信元の装置の無線接続手段が消費する消費電力の影響も含まれることを特徴とする請求項４に記載の情報処理装置。
【請求項６】
装置自身に内蔵されているセンサーから外部環境に基づくセンサー情報を取得する取得ステップと、
前記センサーが取得するセンサー情報と同種のセンサー情報を前記装置外部の機器から受信する受信ステップと、
前記センサー情報を必要とするアプリケーションソフトウェアの起動指示を検出すると、前記センサー情報が、前記センサーで取得されるものか、または、前記装置外部の機器で取得されるものか、及び、前記装置外部からの機器が取得するセンサー情報の取得時間間隔を記憶する記憶手段の記憶内容に基づき、前記装置外部の機器から前記センサー情報を受信するか否かを判定し、前記装置外部の機器から前記センサー情報を受信すると判定すると、前記アプリケーションソフトウェアが必要とする前記センサー情報の更新時間間隔と、前記記憶手段に記憶されている前記装置外部の機器の前記センサー情報の取得時間間隔とを比較して、前記取得時間間隔の方が短い場合に、前記装置外部の機器から前記センサー情報を受信するよう制御して、前記アプリケーションソフトウェアを実行するよう制御する制御ステップと、
を含むことを特徴とする情報処理方法。
【請求項７】
外部環境に基づくセンサー情報を取得するセンサーと受信部とを備えたコンピュータを、
前記センサーが取得するセンサー情報と同種のセンサー情報を前記コンピュータを備える装置外部の機器から受信する受信機能、
前記センサー情報を必要とするアプリケーションソフトウェアの起動指示を検出すると、前記センサー情報が、前記センサーで取得されるものか、または、前記装置外部の機器で取得されるものか、及び、前記装置外部からの機器が取得するセンサー情報の取得時間間隔を記憶する記憶手段の記憶内容に基づき、前記装置外部の機器から前記センサー情報を受信するか否かを判定し、前記装置外部の機器から前記センサー情報を受信すると判定すると、前記アプリケーションソフトウェアが必要とする前記センサー情報の更新時間間隔と、前記記憶手段に記憶されている前記装置外部の機器の前記センサー情報の取得時間間隔とを比較して、前記取得時間間隔の方が短い場合に、前記装置外部の機器から前記センサー情報を受信するよう前記受信機能を制御して、前記アプリケーションソフトウェアを実行するよう制御する制御機能、
として実現させるためのプログラム。
【請求項８】
外部環境に基づくセンサー情報を取得する、情報処理装置自身に内蔵されているセンサーと、
前記情報処理装置外部と通信する通信手段と、
前記センサーから前記センサー情報を取得するか、前記情報処理装置外部から送信される前記センサー情報と同種のセンサー情報を取得するか、を判断するために必要な情報を受信するよう前記通信手段を制御する通信制御手段と、
アプリケーションソフトウェアの起動指示を検出した際、前記通信制御手段によって受信された情報に基づき、前記情報処理装置外部から送信されるセンサー情報を取得すると判定すると、前記アプリケーションソフトウェアが必要とする前記センサー情報の更新時間間隔と、前記情報処理装置外部から提供されるセンサー情報の取得時間間隔とを比較して、前記取得時間間隔の方が短い場合に、前記情報処理装置外部から提供されるセンサー情報を受信するよう前記通信手段を制御して、前記アプリケーションソフトウェアを実行するよう制御する制御手段と、
を備えたことを特徴とする情報処理装置。
【請求項９】
情報処理装置と、モバイル機器と、サーバーとからなる情報処理システムであって、
前記情報処理装置は、
通信手段と、
前記情報処理装置自身に内蔵されている第１センサーと、
前記第１センサーから外部環境に基づく第１センサー情報を取得する第１センサー情報取得手段と、
を備え、
前記モバイル機器は、
前記モバイル機器自身に内蔵されている第２センサーと、
前記第１センサー情報と同種であり、前記第２センサーから前記外部環境に基づく第２センサー情報を取得する第２センサー情報取得手段と、
前記第２センサー情報取得手段によって取得された第２センサー情報を前記情報処理装置へ送信する送信手段と、
を備え、
前記サーバーは、
前記第１センサー及び前記第２センサーに関するセンサー関連情報、及び、前記第２センサー情報の取得時間間隔を記憶する記憶手段と、
前記情報処理装置又は前記モバイル機器からの要求に応じ、前記第１センサー情報を取得するか、前記第２センサー情報を取得するか、を判定するために必要な情報を、前記記憶手段の記憶内容に基づいて取得し、前記情報処理装置に送信する送信手段と、
を備え、
前記情報処理装置は更に、
前記サーバーから送信された前記情報を受信するよう前記通信手段を制御する通信制御手段と、
アプリケーションソフトウェアの起動指示を検出した際に、前記通信制御手段によって受信された前記情報に基づき前記第２センサー情報を取得すると判定すると、前記アプリケーションソフトウェアが必要とする前記第２センサー情報の更新時間間隔と、前記取得される第２のセンサー情報の取得時間間隔とを比較して、前記取得時間間隔の方が短い場合に、前記第２のセンサー情報を受信するよう前記通信手段を制御して、前記アプリケーションソフトウェアを実行することを特徴とする情報処理システム。